(57)【要約】【課題】  換気経路を確保しつつ、必要に応じて遮音性、気密性を付与することが可能な２４時間換気用遮音扉と提案する。【解決手段】  床Ｆと所定の隙間Ｓを有した状態で室内の出入口に開閉可能に設けられた扉１１と、扉１１の下端に上下移動可能に設けられた気密材１４と、気密材１４の上下移動を操作する操作部であるツマミ１５とを有している２４時間換気用遮音扉であって、ツマミ１５は、扉１１のドアノブ１３の近傍に配置されており、扉１１の施錠装置と連動している。【選択図】      図２
2006057364.tif 000002
【特許請求の範囲】
【請求項１】
床と所定の隙間を有した状態で室内の出入口に開閉可能に設けられた扉と、前記扉の下端に上下移動可能に設けられた気密材と、前記気密材の上下移動を操作する操作部とを有していることを特徴とする、２４時間換気用遮音扉。
【請求項２】
前記扉が、開き戸であることを特徴とする、請求項１に記載の２４時間換気用遮音扉。
【請求項３】
前記扉が、上吊り式の引き戸であることを特徴とする、請求項１に記載の２４時間換気用遮音扉。
【請求項４】
前記操作部が、前記扉の施錠装置と連動していることを特徴とする、請求項１乃至請求項３のいずれか１項に記載の２４時間換気用遮音扉。
【発明の詳細な説明】
【技術分野】
【０００１】
本発明は、換気経路を有し、且つ、遮音機能を有した２４時間換気用遮音扉に関する。
【背景技術】
【０００２】
近年、バリアフリー設計により、ドアの沓摺りを設けないことで、室内出入口の凹凸を無くして床面を平らにすることが一般的になっている。この場合、ドアの開閉を可能にするために、ドアと床との間に１０ｍｍ程度の隙間を設けてあり、この隙間が音漏れの原因となっている。
【０００３】
このため、ドアの下端に、ドアの開閉に伴い上下移動する気密材を設けることにより、前記ドアと床との隙間を塞ぐ方法が知られている。
例えば特許文献１には、ドアの下端凹部に気密材が内蔵されているとともに、気密材を床に向けて突出可能にする中間可動部とこの中間可動部を駆動する突出駆動部が内蔵されたドア装置が記載されている。当該ドア装置は、ドアを閉めることにより、突出駆動部がドア枠に衝突して中間可動部を駆動し、気密材を、ドアの下端から床に向けて突出させるものである。そして、気密材がドアの下端から突出することにより、気密材は床面に当接し、ドアと床の隙間が塞がれるため、ドアの遮音性、気密性を向上させることを可能としている。
【特許文献１】特開平５−１６３８７７号公報（［０００９］−［００１９］、図１）
【発明の開示】
【発明が解決しようとする課題】
【０００４】
ところが、平成１５年の建築基準法改正に伴い、２４時間換気が義務付けられたことにより、ドアと床との隙間を換気経路として利用する場合には、前記のドアの開閉に伴い上下移動する気密材が設けられたドアでは、ドアを閉めるとともに換気経路が確保できないという問題を有していた。
【０００５】
その反面、特にプライバシーが要求されるトイレのように、依然として気密性は求められているという問題も有している。
【０００６】
本発明は、前記の問題点を解決するためになされたものであり、換気経路を確保しつつ、必要に応じて遮音性、気密性を付与することが可能な２４時間換気用遮音扉と提案することを課題とする。
【課題を解決するための手段】
【０００７】
このような課題を解決するために、本発明の２４時間換気用遮音扉は、床と所定の隙間を有した状態で室内の出入口に開閉可能に設けられた扉と、前記扉の下端に上下移動可能に設けられた気密材と、前記気密材の上下移動を操作する操作部とを有していることを特徴としている。
【０００８】
かかる２４時間通気用遮音扉は、扉の下端に設けられた気密材を、操作部により操作して上下させるため、シックハウス対策に必要な換気経路を、扉を閉じた状態でも、扉と床との間に設けられた隙間により確保することを可能としている。そして、必要に応じて操作部を操作することにより、気密材を扉の下端から突出させてこの隙間を塞ぐため、容易に室内の遮音性、気密性を確保することができる。そのため、特にプライバシーが要求されるトイレや寝室の扉に当該２４時間通気用遮音扉を設置すれば効果的である。
なお、操作部は、扉の下端に取り付けられた気密材を上下させる駆動機構と扉の内部において連動しているため、操作部が気密材から離れた位置に配置されていても、連動された駆動機構により気密材の遠隔操作を可能としている。
【０００９】
また、前記扉が、開き戸であれば、建物内のあらゆる出入口に適用が可能となり好適である。また、操作部が、当該開き戸の取っ手近傍に配置されていれば、気密材の上下操作を開き戸の開閉操作時に容易に行うことが可能となり好適である。
【００１０】
また、前記扉が、上吊り式の引き戸であれば、バリアフリー設計住宅や和室などの出入口に関しても、その美観が損なわれることなく、シックハウス対策に必要な換気経路を確保しつつ、必要時に遮音性、気密性を確保することが可能であるため好適である。また、操作部が、当該引き戸の引き手近傍に配置されていれば、気密材の上下操作を引き戸の開閉操作時に容易に行うことが可能となり好適である。
【００１１】
さらに、前記操作部が、前記扉の施錠装置と連動していれば、トイレなど、使用時に施錠するとともに、防音性、気密性が求められることが想定される部屋に関して、施錠とともに防音性、気密性が確保されるため、好適である。
【発明の効果】
【００１２】
本発明の２４時間換気用遮音扉により、常時は、扉の下端と床との間に形成された隙間により換気経路を確保し、必要時には、当該隙間を封鎖して遮音性、気密性を確保することが可能となった。
【発明を実施するための最良の形態】
【００１３】
以下、本発明の好適な実施の形態について、図面を参照して説明する。なお、説明において、同一要素には同一の符号を用い、重複する説明は省略する。
なお、説明において換気状態とは、換気遮音扉と床との隙間が開放された状態を示し、遮音状態とは気密材により隙間が遮蔽された状態を示す。
【００１４】
図１は、本発明による２４時間換気用遮音扉（以下、単に「換気遮音扉」という場合がある）が配設された建物の断面図であり、１階と２階にそれぞれ給気孔２，２を有し、給気孔２，２から建物内に給気した空気を、建物内で循環させた後、２階のトイレの排気孔３から排気する構成となっている。また、図２は、第１の実施の形態に係る換気遮音扉の正面図であり、（ａ）は換気状態、（ｂ）は遮音状態を示している。また、図３は、図２の換気遮音扉の部分拡大正面図であり、（ａ）は換気状態、（ｂ）は遮音状態を示している。また、図４は、図２の換気遮音扉の部分拡大断面図であり、（ａ）は換気状態、（ｂ）は遮音状態を示している。また、図５は、第２の実施の形態に係る換気遮音扉の正面図であり、（ａ）は換気状態、（ｂ）は遮音状態を示している。さらに、図６は、図５の換気遮音扉の部分拡大斜視図であり、（ａ）は換気状態、（ｂ）は遮音状態を示している。
【００１５】
＜第１の実施の形態＞
第１の実施の形態（以下、「第１実施形態」という場合がある）に係る換気遮音扉１０は、図１に示す建物１の２階のトイレＴの出入口に設けられた開き戸であり、床Ｆとの間には所定の隙間Ｓが形成されて、空気の通気が可能となっている。
【００１６】
換気遮音扉１０は、図２に示すように、壁に一体に取り付けられた枠材１２に開閉可能に取り付けられた扉１１と、この扉１１の開閉時の持ち手としてのドアノブ１３と、扉１１の下端に上下移動可能に設けられた気密材１４と、ドアノブ１３の近傍に配置されて、気密材１４の上下移動を操作する操作部であるツマミ１５とから構成されている。
【００１７】
気密材１４とツマミ１５とは、シャフト１６を介して連動しており、ツマミ１５を回転させることにより、気密材１４が上下移動する構成となっている。また、ツマミ１５は、施錠装置１５ａとも連動しているため、ツマミ１５を回転させて、施錠装置１５ａを突出させることにより、扉１１が施錠されるとともに、気密材１４が下降して、扉１１と床Ｆとの間に形成された隙間Ｓを遮蔽する構成となっている（図３（ａ）参照）。
【００１８】
図４に示すように、扉１１の下端は、開口部が下向きになるように、凹部が形成されている。そして、この凹部には凹部の形状と同形状で気密材１４を取り付けるためのケース１９が、固定されている。気密材１４は、このケース１９に、複数のリンク機構１８を介して取り付けられている。
【００１９】
リンク機構１８は、図３及び図４に示すように、２枚の板材が、それぞれの一方の端部が回転可能にピン結合されることにより構成されている。そして、このリンク機構１８の一方の端部はケース１９に固定されており、他方の端部は気密材１４の上面に固定されている。また、この２枚の板材のピン結合部には、図３に示すように、シャフト１６に連結するスライド材１７が取り付けられている。各リンク機構１８は、換気状態では、シャフト１６側に凸のくの字を示し、遮音状態では２枚に板材が縦に並んだＩ字を示す。なお、シャフト１６とスライド材１７との結合部には、換気状態で上向きに凸のくの字を示すリンク機構１６ａが配置されている。
【００２０】
第１実施形態に係る換気遮音扉１０は、常時は図４（ａ）に示すように気密材１４がケース１９内に収納された状態であり、扉１１と床Ｆとの間に形成された隙間Ｓが開放された状態にある。このため、給気孔２から建物内に給気された空気は、建物内を循環した後、この隙間Ｓを通過してトイレＴの排気孔３から排出される（図１参照）。
【００２１】
そして、トイレＴの使用時には、ツマミ１５を回転させることにより、シャフト１６が下降して、リンク機構１６ａを下向きに押す。これによりリンク機構１６ａは、左右に広がるため、スライド材１７を横向きに押し、スライド材１７が移動する。スライド材１７が移動することにより、リンク機構１８の板材のピン結合部が押されて、リンク機構１８が上下方向に広がる。リンク機構１８の上側の端部はケース１９に固定されているため、リンク機構１８が広がることにより、下側の端部に固定された気密材１４が下方向に押し出される。これにより、気密材１４が床Ｆに当接して、隙間Ｓを遮蔽する（図２〜図４参照）。ここで、本実施の形態では、気密材１４の上下移動を、水平を保った状態で行うことを可能とするために、リンク機構１８を扉１１の両端部と中央部との３箇所に配置している。つまり、ツマミ１５は、気密材１４の駆動機構であるシャフト１６、リンク機構１６ａ，１８、及びスライド材１７と連動しているため、気密材１４の遠隔操作を可能としている。
なお、ツマミ１５は、施錠装置１５ａと連動しているため、隙間Ｓの遮蔽とともに、換気遮音扉１０の施錠も行われる。
【００２２】
＜第２の実施の形態＞
第２の実施の形態に係る換気遮音扉２０は、図１に示すように、１階の居間Ｌの出入口に設けられた、引き戸であり（図５参照）、床Ｆとの間に所定の隙間Ｓが形成されているため、給気孔２から給気された空気の通気が可能となっている。
【００２３】
換気遮音扉２０は、図５に示すように、壁に一体の取り付けられた枠材２２に開閉可能に取り付けられた扉２１と、この扉２１の開閉時の持ち手としての引き手２３と、扉２１の下端に上下移動可能に設けられた気密材２４と、引き手２３の内部に配置されて、気密材２４の上下移動を操作する操作部であるツマミ２５とから構成されている。
【００２４】
扉２１は、その上端に吊り金具２７が取り付けられており、吊り金具２７が扉２１の上方の枠材２２の内部に設けられたレール（図示せず）に移動可能に取り付けられていることにより、床Ｆとの間に隙間Ｓを形成した状態で吊下げられている。
【００２５】
気密材２４とツマミ２５とは、気密材２４の駆動機構であるシャフト２６を介して連動しており、ツマミ２５を上下移動させることにより、気密材２４が上下移動して、扉２１と床Ｆとの間に形成された隙間Ｓの開閉を行う構成となっている（図５及び図６参照）。
【００２６】
つまり、換気状態では、ツマミ２５を上に上げた状態として、隙間Ｓを開放し、遮音状態では、ツマミ２５を下げることにより、シャフト２６が気密材２４を下方向に押し出し、気密材２４が床Ｆに当接することにより、隙間Ｓを密閉する（図６参照）。
【００２７】
以上の各実施の形態に示した２４時間換気用遮音扉により、通常時は床との間に形成された隙間により通気が可能なため、建物内の２４時間換気を行うとともに、必要時には、操作部を操作することにより容易に隙間を遮蔽することが可能なため、プライバシーの確保が可能となる。
また、当該２４時間換気用遮音扉は、扉の形態や形状に限定されることなく適用が可能なため、建物内のあらゆる出入口において、利用が可能である。
【００２８】
以上、本発明について、好適な実施形態について説明したが、本発明は前記各実施形態に限られず、本発明の趣旨を逸脱しない範囲で適宜設計変更が可能である。
例えば、前記各実施の形態では、気密材の上下移動をするための操作部をドアノブや引き手近傍に配置する構成としたが、これに限定されるものではなく、例えば、２４時間換気用遮音扉の下端に配置することにより、足で簡易に気密材を上下移動させる構成としてもよい。
【００２９】
また、気密材を扉直下の床に設け、操作部を壁に設けることにより、遮音状態には床から気密材を突出させて隙間を遮蔽する構成として、ドアよりも厚く大きな内空を有した壁や床を加工することにより施工を容易にする構成としてもよい。
【００３０】
また、気密材を上下移動させる機構は前記のものに限定されるものではなく、例えば、ネジや歯車を利用した機構やバネを利用した機構等を利用してもよい。
操作部の形状は前記のものに限定されるものではなく、シャフトの上下移動を可能とするものを適宜採用すればよい。
また、扉の形状も前記のものに限定されるものではなく、例えば、両開き戸、引き違い戸等にも適用可能である。
【図面の簡単な説明】
【００３１】
【図１】本発明による２４時間換気用遮音扉が配設された建物の断面図である。
【図２】第１の実施の形態に係る換気遮音扉の正面図であり、（ａ）は換気状態、（ｂ）は遮音状態を示している。
【図３】図２の換気遮音扉の部分拡大正面図であり、（ａ）は換気状態、（ｂ）は遮音状態を示している。
【図４】図２の換気遮音扉の部分拡大断面図であり、（ａ）は換気状態、（ｂ）は遮音状態を示している。
【図５】第２の実施の形態に係る換気遮音扉の正面図であり、（ａ）は換気状態、（ｂ）は遮音状態を示している。
【図６】図５の換気遮音扉の部分拡大斜視図であり、（ａ）は換気状態、（ｂ）は遮音状態を示している。
【符号の説明】
【００３２】
１      建物
１０    換気遮音扉（２４時間換気用遮音扉）
１１    扉
１４    気密材
１５    ツマミ（操作部）
２０    換気遮音扉（２４時間換気用遮音扉）
２１    扉
２４    気密材
２５    ツマミ（操作部）
Ｆ      床
Ｓ      隙間
【図１】
2006057364.tif 000003
【図２】
2006057364.tif 000004
【図３】
2006057364.tif 000005
【図４】
2006057364.tif 000006
【図５】
2006057364.tif 000007
【図６】
2006057364.tif 000008